(57)【要約】【課題】  天板上にデスクマットを載置した状態で仕切板を取り付けた場合でも、仕切板が邪魔になることなく、好適に天板上にデスクマットを載置することができる仕切板取付装置を提供する。【解決手段】  天板３の上面３ａの空間を仕切る仕切板４を天板３に立設して取り付ける仕切板取付装置１、１１であって、仕切板４の一方及び他方の側面部４ａを挟持することにより天板３の上面３ａに仕切板４を立設させる一対の挟持部１３と、一対の挟持部１３の基端部３２ａ、３２ｂ同士を連結して天板３の上面３ａと仕切板４の下端部４ｂとの間に所定の間隙Ｓを形成して仕切板４を保持する間隙保持部１４と、を備える。【選択図】      図２
2014004145.tif 000002
【特許請求の範囲】
【請求項１】
天板の上面の空間を仕切る仕切板を前記天板に立設して取り付ける仕切板取付装置であって、
前記仕切板の一方及び他方の側面部を挟持することにより前記天板の上面に前記仕切板を立設させる一対の挟持部と、
前記一対の挟持部の基端部同士を連結して前記天板の上面と前記仕切板の下端部との間に所定の間隙を形成して前記仕切板を保持する間隙保持部と、を備えることを特徴とする仕切板取付装置。
【請求項２】
前記天板の縁部に嵌合して前記仕切板を取り付ける嵌合部を更に有し、
前記嵌合部は、前記天板の縁部に嵌合すると前記天板の下面に位置する取付基部と、前記天板の上面に位置する前記間隙保持部とから構成されていることを特徴とする請求項１に記載の仕切板取付装置。
【請求項３】
前記間隙保持部は、前記天板の上面と前記仕切板の下端部との間に所定の間隙を形成しながら前記仕切板の下端部に沿って延設する延設部を更に有することを特徴とする請求項１又は請求項２に記載の仕切板取付装置。
【請求項４】
前記間隙保持部には、前記天板の上面との干渉を抑制する緩衝部材が設けられていることを特徴とする請求項１から請求項３のいずれかに記載の仕切板取付装置。
【発明の詳細な説明】
【技術分野】
【０００１】
本発明は、学習机等の天板上に仕切板を取り付ける仕切板取付装置に関する。
【背景技術】
【０００２】
従来から、学習机等には、天板上に上棚を載置、天板の後部又は側部等に棚を併設することにより、辞書や参考書等の書籍、及び、ノートやファイル等の文房具を収容するスペースを確保して天板上の空間の利用度を高めている。
【０００３】
このように、学習机等に載置又は併設等される棚には、載置板や棚板の上面にブックエンド（仕切板）が立設しており、この仕切板によって書籍等の収容物の転倒や不測の移動を防止している（例えば、特許文献１参照）。
【０００４】
そして、このような仕切板を載置板や棚板に対してスライド可能に取り付け、書籍等の収容物の大きさ等に応じて任意の位置でスライドを停止することにより、仕切板が立設する位置を変更可能な仕切板取付装置が提案されている（例えば、特許文献２参照）。
【先行技術文献】
【特許文献】
【０００５】
【特許文献１】特開２００４−１６４７７号公報
【特許文献２】特開２００９−２２６３３号公報
【発明の概要】
【発明が解決しようとする課題】
【０００６】
ところで、上述した従来の仕切板取付装置では、学習机等の上面に書籍を立てた状態を保つために天板上に仕切板を取り付けると、天板の上面と仕切板の下端部とが当接するため、天板の上面にデスクマットを載置する際に天板の上面と仕切板との間にデスクマットを挿入することができず、仕切板を避けた位置にデスクマットを載置しなければならない。
【０００７】
このため、仕切板を避けて天板の上面にデスクマットを載置すると、机の天板の縁辺部からデスクマットの縁辺部がはみ出てしまう場合があり、結果として取り付けた仕切板が邪魔になるおそれがあり、仕切板が邪魔になるのを抑制したいという要望があった。
【０００８】
そこで、本発明はこのような従来の課題を解決するためになされたものであり、その目的とするところは、天板上にデスクマットを載置した状態で仕切板を取り付けた場合でも、仕切板が邪魔になることなく、好適に天板上にデスクマットを載置することができる仕切板取付装置を提供することにある。
【課題を解決するための手段】
【０００９】
上記目的を達成するため、本願請求項１に記載した本発明の仕切板取付装置は、天板の上面の空間を仕切る仕切板を前記天板に立設して取り付ける仕切板取付装置であって、前記仕切板の一方及び他方の側面部を挟持することにより前記天板の上面に前記仕切板を立設させる一対の挟持部と、前記一対の挟持部の基端部同士を連結して前記天板の上面と前記仕切板の下端部との間に所定の間隙を形成して前記仕切板を保持する間隙保持部と、を備えることを特徴とする仕切板取付装置。
【００１０】
請求項２に記載した本発明の仕切板取付装置は、前記天板の縁部に嵌合して前記仕切板を取り付ける嵌合部を更に有し、前記嵌合部は、前記天板の縁部に嵌合すると前記天板の下面に位置する取付基部と、前記天板の上面に位置する前記間隙保持部とから構成されていることを特徴とする請求項１に記載の仕切板取付装置。
【００１１】
請求項３に記載した本発明の仕切板取付装置は、前記間隙保持部は、前記天板の上面と前記仕切板の下端部との間に所定の間隙を形成しながら前記仕切板の下端部に沿って延設する延設部を更に有することを特徴とする請求項１又は請求項２に記載の仕切板取付装置。
【００１２】
請求項４に記載した本発明の仕切板取付装置は、前記間隙保持部には、前記天板の上面との干渉を抑制する緩衝部材が設けられていることを特徴とする請求項１から請求項３のいずれかに記載の仕切板取付装置。
【００１３】
請求項１に記載した本発明の仕切板取付装置によれば、仕切板の側面部を挟持する一対の挟持部の基端部同士を連結した間隙保持部により天板の上面と仕切板の下端部との間に所定の間隙を形成して仕切板を保持する。このため、形成された間隙へデスクマットの一部を挿入して天板にデスクマットを載置することができる。
【００１４】
また、形成された間隙にデスクマットの一部を挿入して天板にデスクマットを載置することにより、天板の縁部からデスクマットがはみ出ることがない。従って、机上の天板に仕切板を取り付けた場合でも仕切板が邪魔になることを抑制する仕切板取付装置を提供することができる。
【００１５】
さらに、仕切板の一方及び他方の側面部を挟持することにより天板の上面に仕切板を天板に立設させるため、既存の机上用の仕切板のみならず、既存の棚用の仕切板を挟持して天板に取り付けて使用することにより仕切板取付装置の汎用性を高めることができる。
【００１６】
請求項２に記載した本発明の仕切板取付装置によれば、天板の下面に位置する取付基部と天板の上面に位置する間隙保持部とにより天板の縁部に嵌合するため、別途、天板と嵌合する部分を形成する必要がなく、仕切板を取り付けるための構成部品点数を減らすことにより、構成部品を管理する工程を低減して、製造コストを低くすることができる。
【００１７】
請求項３に記載した本発明の仕切板取付装置によれば、間隙保持部は、仕切板の下端部との間に所定の間隙を形成しながら仕切板の下端部に沿って延設する延設部を有しているため、所定の間隙を形成しつつ仕切板を安定して保持することができる。
【００１８】
請求項４に記載した本発明の仕切板取付装置によれば、間隙保持部には、天板の上面との干渉を抑制する緩衝部材が設けられているため、デスクマットを天板に載置せずに使用して、仕切板の下端部が天板に対して傾くことにより天板と接した場合でも、天板の上面に傷がつくことを抑制することができる。
【００１９】
また、天板の上面との干渉を抑制する緩衝部材が設けられているため、デスクマットを天板に載置せずに使用して、仕切板を天板の上面をスライドさせて移動した場合でも、天板の上面や縁部に傷がつくことを抑制することができる。
【発明の効果】
【００２０】
本発明によれば、天板上にデスクマットを載置した状態で仕切板を取り付けた場合でも、仕切板が邪魔になることなく、好適に天板上にデスクマットを載置することができる仕切板取付装置を提供することができる。
【図面の簡単な説明】
【００２１】
【図１】本発明の第１実施形態に係る仕切板取付装置により仕切板を天板に取り付けた場合を示す斜視図である。
【図２】本発明の第１実施形態に係る仕切板取付装置を示す正面図（ａ）、側面図（ｂ）と斜視図（ｃ）である。
【図３】本発明の第１実施形態に係る仕切板取付装置が形成する間隙を示す平面図（ａ）、（ｂ）である。
【図４】本発明の第２実施形態に係る仕切板取付装置により仕切板を天板に取り付けた場合を示す斜視図である。
【図５】本発明の第２実施形態に係る仕切板取付装置を示す正面図（ａ）、側面図（ｂ）と斜視図（ｃ）である。
【図６】本発明の第２実施形態に係る仕切板取付装置が形成する間隙を示す平面図（ａ）、（ｂ）である。
【図７】本発明の第３実施形態に係る仕切板取付装置の緩衝部材を示す側面図（ａ）、（ｂ）である。
【発明を実施するための形態】
【００２２】
以下、本発明の実施形態について図面を参照して説明する。はじめに、図１から図３を参照して本発明の実施形態に係る仕切板取付装置について説明する。まず、図１及び図２を参照して、本発明の第１実施形態に係る仕切板取付装置の構成について説明する。
【００２３】
図１は、本発明の第１実施形態に係る仕切板取付装置により仕切板を天板に取り付けた場合を示す斜視図である。図２（ａ）は、本発明の第１実施形態に係る仕切板取付装置の正面図である。図２（ｂ）は、本発明の第１実施形態に係る仕切板取付装置の側面図である。図２（ｃ）は、本発明の第１実施形態に係る仕切板取付装置の斜視図である。
【００２４】
本発明の第１実施形態に係る仕切板取付装置１は、図１に示すように、学習机２の天板３の上面３ａの空間を仕切る仕切板４を、天板３に対して立設して取り付ける取付装置である。この仕切板取付装置１により天板３に仕切板４を取り付けると、仕切板４が天板３にスライド可能に立設する。
【００２５】
図２（ａ）から図２（ｃ）に示すように、仕切板取付装置１は、板状に形成された本体部１２と、天板３の上面３ａに仕切板４を立設させる挟持部１３と、仕切板４を保持する間隙保持部１４と、天板３の縁部３ｂ（後述する図３（ａ）及び図３（ｂ）参照）に嵌合する嵌合部１５とから略構成されている。
【００２６】
本体部１２は、ネジ（図示省略）が螺入するネジ孔２０が形成されており、挟持部１３が突設する本体部表面１２ａと、机２の側板２ａ及び背板２ｂ（図１参照）と当接可能な本体部裏面１２ｂとを有している。挟持部１３により仕切板４（図１参照）が挟持されると、ネジ孔２０にネジを螺合することにより仕切板４を本体部表面２１ａへ固定する。
【００２７】
挟持部１３は、仕切板４の一方及び他方の側面部４ａ（図１参照）を挟持することにより天板３の上面３ａ（図１参照）に仕切板４を立設させる一対の挟持板３１ａ、３１ｂを有している。この一対の挟持板３１ａ及び３１ｂの基端部３２ａ、３２ｂ同士を連結することにより間隙保持部１４が形成されている。
【００２８】
間隙保持部１４は、挟持部１３と一体形成されており、一対の挟持板３１ａ及び３１ｂにより仕切板４（図１参照）が挟持されると仕切板４の下端部４ｂ（後述する図３（ａ）及び図３（ｂ）参照）を保持する。間隙保持部１４により仕切板４が保持されると、天板３の上面３ａ（図１参照）と仕切板４の下端部４ｂとの間に所定の間隙が形成される。間隙の詳細については後述する。
【００２９】
嵌合部１５は、天板３の縁部３ｂ（後述する図３（ａ）及び図３（ｂ）参照）に嵌合すると、天板３の上面３ａに位置する間隙保持部１４と、天板３の下面３ｃ（後述する図３（ａ）及び図３（ｂ）参照）に位置する取付基部５１とから構成されている。
【００３０】
また、嵌合部１５は、天板３と嵌合した際に縁部３ｂが当接可能な当接部５２を更に有し、間隙保持部１４と取付基部５１と当接部５２とにより、側面視した場合にコ字状に形成されている。このように形成された嵌合部１５は、天板３の縁部３ｂ（後述する図３（ａ）及び図３（ｂ）参照）に対してスライド可能な隙間を有して嵌合し、嵌合後は天板３の縁部３ｂ（後述する図３（ａ）及び図３（ｂ）参照）から取り外し可能に形成されている。このため、天板３の上面３ａ（図１参照）の空間を自由に仕切ることができる。
【００３１】
さらに、嵌合部１５は、天板３の縁部３ｂ（後述する図３（ａ）及び図３（ｂ）参照）の厚さに応じて嵌合部１５を成形することができる材質で構成されている。このため、異なる天板の厚さに対応することができるため、簡単な構成で多様な厚さの天板に仕切板４（図１参照）を取り付けることができる。
【００３２】
また、嵌合部１５は、天板３の縁部３ｂ（後述する図３（ａ）及び図３（ｂ）参照）に嵌合すると、天板３の上面３ａに位置する間隙保持部１４と、天板３の下面３ｃ（後述する図３（ａ）及び図３（ｂ）参照）に位置する取付基部５１とから構成されている。このため、別途、天板３と嵌合する部分を形成する必要がなく、仕切板４を取り付けるための構成部品点数を減らすことにより、構成部品を管理する工程を低減して、製造コストを低くすることができる。
【００３３】
次に、図３（ａ）及び図３（ｂ）を参照して、本発明の第１実施形態に係る仕切板取付装置が形成する間隙について詳細に説明する。図３（ａ）は、本発明の第１実施形態に係る仕切板取付装置が形成する間隙を示す平面図である。図３（ｂ）は、本発明の第１実施形態に係る仕切板取付装置が形成する間隙にデスクマットの一部を挿入した場合を示す平面図である。
【００３４】
図３（ａ）に示すように、仕切板４の側面部４ａを挟持部１３により挟持し、天板３の縁部３ｂに嵌合部１５を嵌めて仕切板４を天板３に対して立設して取り付けると、間隙保持部１４（図２（ｃ）参照）により天板３の上面３ａと仕切板４の下端部４ｂとの間に所定の間隙Ｓが形成される。
【００３５】
所定の間隙Ｓの幅は、デスクマット５の厚さ等に応じて変更することが可能である。例えば、所定の間隙Ｓの幅を間隙保持部１４の位置を変更することにより異なる幅に調整、又は、間隙保持部１４を構成する部材の厚さＴ（図２（ａ）参照）を変更することにより異なる幅に調整することが可能である。
【００３６】
そして、図３（ｂ）に示すように、天板３の上面３ａと仕切板４の下端部４ｂとの間に形成された間隙Ｓにデスクマット５の一部を挿入することが可能となる。また、間隙Ｓが嵌合部１５近傍まで形成されているので、仕切板４の下端部４ｂ全体にわたってデスクマット５の一部を挿入することができる。
【００３７】
特に、最近の学習机２（図１参照）の天板３は、従来の天板と比較して天板３の奥行き（仕切板と取り付け方向）が狭く構成されている傾向があり、天板３に通常規格のデスクマット５を載置した場合、天板の縁辺部の近傍にデスクマット５の縁辺部が位置する。このため、従来の仕切板取付装置により仕切板４を取り付けた場合には、仕切板４を避けてデスクマット５を載置しなければならず、天板３の縁辺部からデスクマット５がはみ出てしまう。
【００３８】
しかしながら、本発明の第１実施形態に係る仕切板取付装置１は、図３（ｂ）に示すように、天板３の上面３ａと仕切板４の下端部４ｂとの間に形成された間隙Ｓにデスクマット５の一部を挿入することが可能であるため、仕切板４を避けてデスクマット５を載置する必要がなく、天板３の縁辺部からデスクマット５がはみ出ることがない。
【００３９】
このように、仕切板４の側面部４ａを挟持する一対の挟持部１３（挟持板３１ａ、３１ｂ）の基端部３２ａ、３２ｂ同士を連結した間隙保持部１４により天板３の上面３ａと仕切板４の下端部４ｂとの間に所定の間隙Ｓを形成して仕切板４を保持する。このため、形成された間隙Ｓへデスクマット５の一部を挿入して天板４にデスクマット５を載置することができる。
【００４０】
また、形成された間隙Ｓへデスクマット５の一部を挿入して天板３に載置することにより、天板３の縁辺部からデスクマット５がはみ出ることがない。従って、天板３の上面３ａにデスクマット５を載置した状態で仕切板４を取り付けた場合でも、仕切板４が邪魔になることなく、好適に天板３の上面３ａにデスクマットを載置することができる。
【００４１】
さらに、仕切板４の一方及び他方の側面部４ａを挟持することにより天板３の上面３ａに仕切板４を天板３に立設させるため、既存の机上用の仕切板のみならず、既存の棚用の仕切板を挟持して天板３に取り付けて使用することにより仕切板取付装置の汎用性を高めることができる。
【００４２】
次に、図４から図６を参照して、本発明の第２実施形態に係る仕切板取付装置について説明する。まず、図４及び図５を参照して、本発明の第２実施形態に係る仕切板取付装置の構成について説明する。本発明の第２実施形態に係る仕切板取付装置は、上述した間隙保持部１４に、更に仕切板４の下端部４ｂに沿って延設する延設部を設けている。
【００４３】
図４は、本発明の第２実施形態に係る仕切板取付装置により仕切板を天板に取り付けた場合を示す斜視図である。また、図５（ａ）は、本発明の第２実施形態に係る仕切板取付装置の正面図である。図５（ｂ）は、本発明の第２実施形態に係る仕切板取付装置の側面図である。図５（ｃ）は、本発明の第２実施形態に係る仕切板取付装置の斜視図である。
【００４４】
なお、本発明の第２実施形態に係る仕切板取付装置は、本発明の第１実施形態に係る仕切板取付装置と略同様の構成等を有するため、同様の構成に関しては、説明を省略するものとする。また、第１実施形態に係る仕切板取付装置と同様の構成要素には同一の符号を付して説明する。
【００４５】
本発明の第２実施形態に係る仕切板取付装置１１は、上述した第１実施形態に係る仕切板取付装置１と同様に、図４に示すように、学習机２の天板３の上面３ａの空間を仕切る仕切板４を、天板３に対して立設して取り付ける取付装置である。この仕切板取付装置１１により天板３に仕切板４を取り付けると、仕切板４が天板３にスライド可能に立設する。
【００４６】
図５（ａ）から図５（ｃ）に示すように、仕切板取付装置１１は、板状に形成された本体部１２と、天板３の上面３ａに仕切板４を立設させる挟持部１３と、仕切板４を保持する間隙保持部１４と、天板３の縁部３ｂ（後述する図６（ａ）及び図６（ｂ）参照）に嵌合する嵌合部１５とから略構成されている。
【００４７】
そして、本発明の第２実施形態に係る仕切板取付装置１１の間隙保持部１４は、図５（ｂ）及び図５（ｃ）に示すように、仕切板４の下端部４ｂに沿って延設する延設部４１と、この延設部４１に形成された切り欠き部４２とを有している。
【００４８】
延設部４１は、挟持部１３及び間隙保持部１４と一体形成されており、切り欠き部４２によって、天板３の上面３ａ（後述する図６（ａ）及び図６（ｂ）参照）と仕切板４の下端部４ｂ（後述する図６（ａ）及び図６（ｂ）参照）との間に所定の間隙を形成しながら仕切板４の下端部４ｂに沿って挟持部１３から延設している。間隙の詳細については後述する。
【００４９】
このように、間隙保持部１４は、仕切板４の下端部４ｂとの間に所定の間隙を形成しながら仕切板４の下端部４ｂに沿って延設する延設部４１を有しているため、所定の間隙を形成しつつ仕切板４を安定して天板に立設させて保持することができる。
【００５０】
また、延設部４１は、挟持部１３及び間隙保持部１４と一体形成することにより、別途、仕切板４を安定して天板に立設させる部分を形成する必要がなく、仕切板４を安定して立設させるための構成部品点数を減らすことにより、構成部品を管理する工程を低減して、製造コストを低くすることができる。
【００５１】
次に、図６（ａ）及び図６（ｂ）を参照して、本発明の第２実施形態に係る仕切板取付装置が形成する間隙について詳細に説明する。図６（ａ）は、本発明の第２実施形態に係る仕切板取付装置が形成する間隙を示す平面図である。図６（ｂ）は、本発明の第２実施形態に係る仕切板取付装置が形成する間隙にデスクマットの一部を挿入した場合を示す平面図である。
【００５２】
図６（ａ）に示すように、仕切板４の側面部４ａを挟持部１３により挟持し、天板３の縁部３ｂに嵌合部１５を嵌めて仕切板４を天板３に対して立設して取り付けると、間隙保持部１４（図５（ｃ）参照）により天板３の上面３ａと仕切板４の下端部４ｂとの間に所定の間隙Ｓが形成される。
【００５３】
所定の間隙Ｓの幅は、デスクマット５の厚さ等に応じて変更することが可能である。例えば、所定の間隙Ｓの幅を間隙保持部１４の位置を変更することにより異なる幅に調整、又は、間隙保持部１４を構成する部材の厚さＴ（図５（ａ）参照）を変更することにより異なる幅に調整することが可能である。
【００５４】
そして、図６（ｂ）に示すように、天板３の上面３ａと仕切板４の下端部４ｂとの間に形成された間隙Ｓにデスクマット５の一部を挿入することが可能となる。また、間隙Ｓが嵌合部１５近傍まで形成されているので、仕切板４の下端部４ｂ全体にわたってデスクマット５の一部を挿入することができる。
【００５５】
特に、本発明の第２実施形態に係る仕切板取付装置１１は、図６（ａ）及び図６（ｂ）に示すように、切り欠き部４２により延設部４１が仕切板４の下端部４ｂとの間に所定の間隙Ｓを形成しながら仕切板４の下端部４ｂに沿って延設している。このため、デスクマット５に一部を挿入するための間隙Ｓを形成しつつ、仕切板４の下端部４ｂが傾くのを抑制して、仕切板４を安定して保持することができる。
【００５６】
このように、本発明の第２実施形態に係る仕切板取付装置１１も第１実施形態に係る仕切板取付装置１と同様に、天板３の上面３ａにデスクマット５を載置した状態で仕切板４を取り付けた場合でも、仕切板４が邪魔になることなく、好適に天板３の上面３ａにデスクマット５を載置することができる。
【００５７】
次に、図７を参照して、本発明の第３実施形態に係る仕切板取付装置について説明する。図７（ａ）及び図７（ｂ）は、本発明の第３実施形態に係る仕切板取付装置の側面図である。本発明の第３実施形態に係る仕切板取付装置は、上述した第１実施形態及び第２実施形態に係る仕切板取付装置に天板の上面との干渉を抑制する緩衝部材が設けられている。
【００５８】
なお、本発明の第３実施形態に係る仕切板取付装置は、上述した第１実施形態及び第２実施形態に係る仕切板取付装置と略同様の構成等を有するため、同様の構成に関しては、説明を省略するものとする。また、第１実施形態及び第２実施形態に係る仕切板取付装置と同様の構成要素には同一の符号を付して説明する。
【００５９】
本発明の第３実施形態に係る仕切板取付装置１、１１は、上述した本発明の第１実施形態に係る仕切板取付装置１により天板３の上面３ａに立設される仕切板４、及び本発明の第２実施形態に係る仕切板取付装置１１の間隙保持部１４に緩衝部材を設けている。
【００６０】
図７（ａ）に示すように、本発明の第１実施形態に係る仕切板取付装置１は、仕切板４の側面部４ａを挟持部１３により挟持し、天板３の縁部３ｂに嵌合部１５を嵌めて仕切板４を天板３に対して立設して取り付けると、間隙保持部１４により天板３の上面３ａと仕切板４の下端部４ｂとの間に所定の間隙Ｓが形成される（図３（ａ）及び図３（ｂ）参照）。
【００６１】
このように、所定の間隙Ｓが形成されているため、仕切板４の下端部４ｂにフェルト６ａ（緩衝部材）を設けることにより、形成された間隙Ｓにデスクマット５を挿入しないで天板３を使用した際に仕切板４の下端部４ｂが天板３の上面３ａと干渉した場合、天板３の上面３ａに傷がつくことを抑制することができる。
【００６２】
特に、天板３の上面３ａと仕切板４の下端部４ｂとの間に形成された所定の間隙Ｓの高さ（図３（ａ）及び図３（ｂ）参照）と略同一の高さのフェルト６ａを仕切板４の下端部４ｂに設けることにより、仕切板４が傾くことなく安定して天板３に立設することができる。
【００６３】
なお、図７（ａ）を参照して説明した仕切板取付装置１は、仕切板４の下端部４ｂにフェルト６ａを設けた場合について説明したが、これに限定されない。例えば、間隙保持部１４や嵌合部１５にフェルト６ａを設けてもよい（図示省略）。この場合、仕切板４を天板３の上面３ａをスライドさせた場合でも、天板３の上面３ａや縁部４ｂに傷がつくことをより一層抑制することができる。
【００６４】
また、図７（ｂ）に示すように、本発明の第２実施形態に係る仕切板取付装置１１は、仕切板４の下端部４ｂに沿って延設する延設部４１に切り欠き部４２が設けられているため、間隙保持部１４にフェルト６ｂ（緩衝部材）を設けることにより、天板３の上面３ａに傷がつくことを抑制することができる。
【００６５】
特に、切り欠き部４２の高さ（天板３の上面３ａから延設部４１までの長さ）と略同一の高さのフェルト６ｂを仕切板４の下端部４ｂに設けることにより、仕切板４が傾くことなく安定して天板３に立設することができる。
【００６６】
なお、図７（ｂ）を参照して説明した仕切板取付装置１１は、間隙保持部１４にフェルト６ｂを設けた場合について説明したが、これに限定されない。例えば、嵌合部１５にフェルト６ｂを設けてもよい（図示省略）。この場合、仕切板４を天板３の上面３ａをスライドさせた場合でも、天板３の上面３ａや縁部４ｂに傷がつくことをより一層抑制することができる。
【００６７】
なお、上述した第３実施形態に係る仕切板取付装置１１では、先端にフェルト６ｂを設けた延設部４１を図示して説明したが、これに限定されず、天板３の上面３ａに傷がつくことを抑制することができる位置であればフェルト６ｂを設ける位置は適宜変更が可能である。
【００６８】
また、上述した第３実施形態では、天板３の上面３ａと仕切板４の下端部４ｂとの間に形成された所定の間隙Ｓの高さと略同一の高さのフェルト６ａ、６ｂにより、天板３の上面３ａとの干渉を抑制する場合について説明したが、これに限定されない。例えば、所定の間隙Ｓにデスクマット５の一部を挿入する場合には、デスクマット５の高さとフェルト６ａ、６ｂの高さとをあわせて間隙Ｓの高さと略同一になるように構成してもよい。
【００６９】
このようにして、本発明の実施形態に係る仕切板取付装置１、１１は、天板３の上面３ａの空間を仕切る仕切板４を天板３に立設して取り付ける仕切板取付装置１、１１であって、仕切板４の一方及び他方の側面部４ａを挟持することにより天板３の上面３ａに仕切板４を立設させる一対の挟持部１３（挟持板３１ａ、３１ｂ）と、一対の挟持部１３の基端部３２ａ、３２ｂ同士を連結して天板３の上面３ａと仕切板４の下端部４ｂとの間に所定の間隙Ｓを形成して仕切板４を保持する間隙保持部１４と、を備える。
【００７０】
また、本発明の実施形態に係る仕切板取付装置１、１１は、天板３の縁部３ｂに嵌合して仕切板４を取り付ける嵌合部１５を更に有し、嵌合部１５は、天板３の縁部３ｂに嵌合すると天板３の下面３ｃに位置する取付基部５１と、天板３の上面３ａに位置する間隙保持部１４とから構成されている。
【００７１】
さらに、本発明の実施形態に係る仕切板取付装置１１は、間隙保持部１４が、天板３の上面３ａと仕切板４の下端部４ｂとの間に所定の間隙Ｓを形成しながら仕切板４の下端部４ｂに沿って延設する延設部４１を更に有する。
【００７２】
また、本発明の実施形態に係る仕切板取付装置１１は、間隙保持部１４には、天板３の上面３ａとの干渉を抑制する緩衝部材（フェルト６ｂ）が設けられている。
【００７３】
そして、本発明の実施形態に係る仕切板取付装置１、１１によれば、仕切板４の側面部４ａを挟持する一対の挟持部１３（挟持板３１ａ、３１ｂ）の基端部３２ａ、３２ｂ同士を連結した連結保持部１４により天板３の上面３ａと仕切板４の下端部４ｂとの間に所定の間隙Ｓを形成して仕切板４を保持する。このため、形成された間隙Ｓへデスクマット５の一部を挿入して天板４にデスクマット５を載置することができる。
【００７４】
また、形成された間隙Ｓにデスクマット５の一部を挿入して天板３にデスクマット５を載置することにより、天板３の縁からデスクマット５がはみ出ることがない。従って、天板３の上面３ａにデスクマット５を載置した状態で仕切板４を取り付けた場合でも、仕切板４が邪魔になることなく、好適に天板３の上面３ａにデスクマットを載置することができる仕切板取付装置１、１１を提供することができる。
【００７５】
さらに、仕切板４の一方及び他方の側面部４ａを挟持することにより天板３の上面３ａに仕切板４を天板３に立設させるため、既存の机上用の仕切板のみならず、既存の棚用の仕切板を挟持して天板３に取り付けて使用することにより仕切板取付装置１、１１の汎用性を高めることができる。
【００７６】
また、本発明の仕切板取付装置１、１１によれば、天板３の縁部３ｂに嵌合して仕切板４を取り付ける嵌合部１５は、仕切板４を天板３から取り外し自在であるため、天板上の空間を仕切る態様の自由度が増す。
【００７７】
さらに、天板３の縁部３ｂの厚さＴに応じて嵌合部１５を形成することにより、異なる天板の厚さに対応することができるため、簡単な構成で多様な厚さの天板に仕切板４を取り付けることができる。
【００７８】
また、天板３の下面３ｃに位置する取付基部５１と天板３の上面３ａに位置する間隙保持部１４とにより天板３の縁部３ｂに嵌合するため、別途、天板３と嵌合する部分を形成する必要がなく、仕切板３を取り付けるための構成部品点数を減らすことにより、構成部品を管理する工程を低減して、製造コストを低くすることができる。
【００７９】
さらに、本発明の仕切板取付装置１１によれば、間隙保持部１４は、仕切板４の下端４ｂ部との間に所定の間隙Ｓを形成しながら仕切板４の下端部４ｂに沿って延設する延設部４１を有しているため、所定の間隙Ｓを形成しつつ仕切板４を安定して保持することができる。
【００８０】
また、延設部４１を挟持部１３及び間隙保持部１４と一体形成することにより、別途、仕切板４を安定して天板に立設させる部分を形成する必要がなく、仕切板４を安定して立設させるための構成部品点数を減らすことにより、構成部品を管理する工程を低減して、製造コストを低くすることができる。
【００８１】
さらに、本発明の仕切板取付装置１１によれば、間隙保持部１４には、天板３の上面３ａとの干渉を抑制する緩衝部材６ｂ（フェルト）が設けられているため、デスクマット５を天板３に載置せずに使用して、仕切板４の下端部４ｂが天板３に対して傾くことにより天板３と接した場合でも、天板３の上面３ａに傷がつくことを抑制することができる。
【００８２】
また、天板３の上面３ａとの干渉を抑制する緩衝部材６ｂ（フェルト）が設けられているため、デスクマット５を天板３に載置せずに使用して、仕切板４を天板３の上面３ａをスライドさせて移動した場合でも、天板３の上面３ａや縁部４ｂに傷がつくことを抑制することができる。
【００８３】
以上、本発明の仕切板取付装置を図示の実施形態に基づいて説明したが、本発明はこれに限定されるものではなく、各部の構成は、同様の機能を有する任意の構成のものに置き換えることができる。
【００８４】
例えば、上述した実施形態では、略台形形状を有する本体部１２を図示して説明したが、天板３の上面３ａに仕切板４を立設させる（図１参照）際、天板３に取り付け易い形態であれば適宜変更が可能である。
【００８５】
また、例えば、上述した実施形態では、天板３の上面３ａとの干渉を抑制する緩衝部材としてフェルト６ａ、６ｂを用いて説明したがこれに限定されず、天板３の上面３ａとの干渉を抑制する部材であれば適宜変更が可能である。
【符号の説明】
【００８６】
１      仕切板取付装置（第１実施形態）
２      学習机
３      天板
４      仕切板
５      デスクマット
６      フェルト
１１    仕切板取付装置（第２実施形態）
１２    本体部
１３    挟持部
１４    間隙保持部
１５    嵌合部
２０    ネジ孔
２１ａ  本体部表面
２１ｂ  本体部裏面
３１ａ  挟持板
３１ｂ  挟持板
３２ａ  基端部
３２ｂ  基端部
４１    延設部
４２    切り欠き部
５１    取付基部
５２    当接部
【図１】
2014004145.tif 000003
【図２】
2014004145.tif 000004
【図３】
2014004145.tif 000005
【図４】
2014004145.tif 000006
【図５】
2014004145.tif 000007
【図６】
2014004145.tif 000008
【図７】
2014004145.tif 000009